(57)【特許請求の範囲】
【請求項１】
天井裏で走行する走行吊り車に吊り支柱を介して吊持された状態で下端が床から離座するときに走行吊り車の走行によって移動可能とされる可動式の間仕切り壁を有してなる間仕切り壁構造において、吊り支柱が上方支柱と下方支柱とからなる一方で、上方支柱の上端が走行吊り車に連繋されると共に上方支柱の下端側が間仕切り壁内に垂下されてなり、下方支柱の下端側が間仕切り壁内の下端側において間仕切り壁に対して適宜の移動手段の配在下に上下方向に移動可能に連繋すると共に下方支柱の上端が上方支柱の下端部に所定のストロークで上下方向に移動可能に連繋してなり、上方支柱が間仕切り壁の上端に連繋する部位で上下の二部材に分割されると共にこの上下の二部材が球面軸受機構からなる連結手段で連結されてなることを特徴とする間仕切り壁構造
【請求項２】
下方支柱が上端側にピン結合された部位を有し、このピン結合部位を中心にして下方支柱の上端側を間仕切り壁の幅方向に揺動可能としてなる請求項１に記載の間仕切り壁構造
【請求項３】
適宜の移動手段が外部からの回動操作で間仕切り壁に対して下方支柱を昇降させるネジジャッキ機構からなる請求項１に記載の間仕切り壁構造
【請求項４】
上方支柱の下端側に上方支柱の軸線方向に沿う所定の長さの長孔が形成されると共に、下方支柱の上端に下方支柱の軸線方向を横切る方向にピンが保持されてなり、このピンが上記の長孔に挿通されてなる請求項１に記載の間仕切り壁構造
【発明の詳細な説明】
【０００１】
【発明の属する技術分野】
この発明は、間仕切り壁構造に関し、特に、可動式に形成された間仕切り壁を有する間仕切り壁構造の改良に関する。
【０００２】
【従来技術とその問題点】
近年の博物館などの建築物にあっては、地震で建築物が横揺れするときに、床や天井を横揺れさせないようにするために、この床や天井に免震が施されて、免震床や免震天井とされることがある。
【０００３】
一方、このような免震床と免震天井とで形成される室内を区画する場合にも、可動式の間仕切り壁が利用されるが、これまでの可動式の間仕切り壁は、天井裏で走行する走行吊り車に言わば固定状態に、すなわち、間仕切り壁の揺れを阻止し得る状態に吊持されている。
【０００４】
それゆえ、このいわゆる従来の間仕切り壁にあっては、これを立設するときには、その下端を適宜の手段で床に連結してその下端側の揺れを阻止すると共に、これを撤去するときには、その下端と床との縁を切って、走行吊り車の走行で移動し得ることになる。
【０００５】
ところで、従来の間仕切り壁は、その利用時に地震があって床と天井との間に相対的に看て水平方向に位相のズレが発現される場合にも、この位相のズレ、すなわち、変位に、自身が歪むなどで対処するとしている。
【０００６】
これは、上記した免震床や免震天井とは異なる従来の床と天井との間における地震の際の変位は、たとえば、ほぼ１０〜２０ｍｍと僅かであって、したがって、間仕切り壁は、自身が歪むなどで破壊から回避し得るとするからである。
【０００７】
しかし、上記した免震床と免震天井との間における地震の際の変位は、ほぼ２００ｍｍにも及ぶことがあるとされており、したがって、この免震床と免震天井との間に立設される間仕切り壁は、簡単に破壊などすることになる。
【０００８】
そして、間仕切り壁が、たとえば、博物館などで展示物を陳列する際の背面壁を形成しているような場合には、間仕切り壁が簡単に破壊などしないようにする必要がある。
【０００９】
しかしながら、これまでの可動式の間仕切り壁構造にあっては、上記のような要請には応えられず、したがって、この要請に応えられる可動式の間仕切り壁の提案が望まれていた。
【００１０】
この発明は、このような現状を鑑みて創案されたものであって、その目的とするところは、免震床と免震天井との間で地震に伴う水平方向の位相にズレが招来されても、利用時の可動式の間仕切り壁において、簡単に破壊などしないようにするのに最適となる間仕切り壁構造を提供することである。
【００１１】
【課題を解決するための手段】
上記した目的を達成するために、この発明による間仕切り壁構造の構成を、基本的には、天井裏で走行する走行吊り車に吊り支柱を介して吊持された状態で下端が床から離座するときに走行吊り車の走行によって移動可能とされる可動式の間仕切り壁を有してなる間仕切り壁構造において、吊り支柱が上方支柱と下方支柱とからなる一方で、上方支柱の上端が走行吊り車に連繋されると共に上方支柱の下端側が間仕切り壁内に垂下されてなり、下方支柱の下端側が間仕切り壁内の下端側において間仕切り壁に対して適宜の移動手段の配在下に上下方向に移動可能に連繋すると共に下方支柱の上端が上方支柱の下端部に所定のストロークで上下方向に移動可能に連繋してなり、上方支柱が間仕切り壁の上端に連繋する部位で上下の二部材に分割されると共にこの上下の二部材が球面軸受機構からなる連結手段で連結されてなるとする。
【００１２】
それゆえ、この発明による間仕切り壁構造にあっては、間仕切り壁が上方支柱および下方支柱からなる吊り支柱で天井から吊り下げられる一方で、この吊り支柱に対する間仕切り壁の連繋位置が適宜の移動手段によって上下方向に調整されることで、下端が床に着座しあるいは床から離座し得ることになり、特に、下端が床から離座するときには、天井裏で走行する走行吊り車に吊り下げられた状態で移動し得ることになる。
【００１３】
そして、この間仕切り壁構造にあっては、上方支柱が間仕切り壁の上端に連繋する位置で球面軸受機構によって折れ曲るから、この上方支柱の上端側が球面軸受機構部位を中心にして水平放射方向に揺動し得ることになる。
【００１４】
その結果、間仕切り壁の上端は、天井の動きに呼応せずして天井といわゆる縁切りされた状態になり、したがって、下端が床に着座した状態の間仕切り壁における揺動を阻止し得ることになる。
【００１５】
このとき、上方支柱と下方支柱とが所定のストロークで移動可能に連繋するから、間仕切り壁の上端を天井の動き相応して移動させ得ると共に、間仕切り壁の下端を床に着座したままの状態に維持し得ることになる。
【００１６】
そして、上記した構成において、より具体的には、下方支柱が上端側にピン結合された部位を有し、このピン結合部位を中心にして下方支柱の上端側を間仕切り壁の幅方向に揺動可能としてなるとする。
【００１７】
それゆえ、間仕切り壁がピン結合部位を中心にして間仕切り壁の幅方向に揺動し得ることになり、したがって、間仕切り壁の下端が床に着座した状態では、間仕切り壁の上端が間仕切り壁の幅方向となる天井の動きに対応し得ることになる。
【００１８】
そして、このときも、上方支柱と下方支柱とが所定のストロークで移動可能に連繋するから、間仕切り壁の上端を天井の動きに対応し得ると共に、間仕切り壁の下端を床に着座したままの状態に維持し得ることになる。
【００１９】
また、適宜の移動手段が外部からの回動操作で間仕切り壁に対して下方支柱を昇降させるネジジャッキ機構からなるとする。
【００２０】
それゆえ、外部からの回動操作で下方支柱が上方支柱に対して所定のストロークの範囲内で昇降し得ると共に、特に、下方支柱が上方支柱に対して所定のストロークを下降した後は、言わば下方支柱に連繋する間仕切り壁が上昇し得ることになる。
【００２１】
そして、この間仕切り壁の上昇で間仕切り壁の上端が走行吊り車に吊り支柱を介して一体的に連繋することになり、この状態で走行吊り車を走行させるとき、間仕切り壁を移動させることが可能になる。
【００２２】
さらに、上方支柱の下端側に上方支柱の軸線方向に沿う所定の長さの長孔が形成されると共に、下方支柱の上端に下方支柱の軸線方向を横切る方向にピンが保持されてなり、このピンが上記の長孔に挿通されてなるとする。
【００２３】
それゆえ、吊り支柱の全長が長孔の長さの範囲内で調整可能とされることになり、したがって、天井と床の間の長さが上記の長孔の長さの範囲内で区々となる場合にも、この発明による間仕切り壁構造の具現化が可能になる。
【００２４】
【発明の実施の形態】
以下に、図示した実施形態に基づいて、この発明を説明するが、この発明による間仕切り壁構造は、図１および図２に示すように、建築物（図示せず）の屋内における天井Ｒから吊り下げられる可動式の間仕切り壁Ｗを有してなる。
【００２５】
このとき、天井裏には、図３中および図４中に破線図で示すように、走行吊り車Ｄが配在されていて、間仕切り壁Ｗは、この走行吊り車Ｄに吊り支柱Ｐを介して吊持されるとしている。
【００２６】
そして、この間仕切り壁Ｗは、下端が床Ｆに着座している（図１および図２参照）ときに、所定の立設状態におかれ、後述するように、下端が床Ｆから離座しているときに、上記の走行吊り車Ｄによる移動を可能にするとしている。
【００２７】
ちなみに、間仕切り壁Ｗは、凡そこの種の間仕切り壁がそうであるように、所定の自己支持性や機械的強度を有しながら可能な限りに軽量に形成されるとし、図示するところにあっては、いわゆる額縁状に形成されたフレームＷ１に、たとえば、図２中に仮想線図で示すように、外装材たる板Ｗ２が展設されてなるとしている。
【００２８】
ところで、この間仕切り壁Ｗは、吊り支柱Ｐで吊持されてなるとしているが、この吊り支柱Ｐは、上方支柱１と下方支柱２とからなり、また、その全長を長短調整し得るとしている。
【００２９】
少し説明すると、まず、上方支柱１は、上端が走行吊り車Ｄに連繋されると共に下端側が間仕切り壁Ｗ内に垂下されるとしており、このとき、図３および図４に示すように、この上方支柱１は、間仕切り壁Ｗの上端に連繋する部位で上下の二部材に、すなわち、上端側１１と下端側１２とに分割されると共に、この上端側１１と下端側１２が球面軸受機構からなる連結手段１３で連結されてなるとしている。
【００３０】
それゆえ、この間仕切り壁Ｗにあっては、上方支柱１における上端側１１が間仕切り壁Ｗの上端に連繋する位置で折れ曲る、すなわち、揺動し得るから、間仕切り壁Ｗがこの折れ曲り点を中心にして水平放射方向に揺動し得ることになる。
【００３１】
つぎに、下方支柱２は、下端側が間仕切り壁Ｗ内の下端側において間仕切り壁Ｗに対して適宜の移動手段３の配在下に上下方向に移動可能に連繋すると共に、上端が上方支柱１の下端部に所定のストロークで上下方向に移動可能に連繋するとしている。
【００３２】
すなわち、上方支柱１と下方支柱２とからなる吊り支柱Ｐにあっては、上記のストロークの範囲内でその全長の長短を調整可能にしているもので、図３および図４に示すところでは、上方支柱１の下端側にその軸線方向に沿う所定の長さの長孔１２ａが形成されると共に、下方支柱２の上端にその軸線方向を横切る方向にピン２ａが保持されてなり、このピン２ａが上記の長孔１２ａに挿通されてなるとしている。
【００３３】
それゆえ、吊り支柱Ｐにあっては、長孔１２ａの長さの範囲内で全長を長短調整し得ることになり、このことからして、この発明による間仕切り壁構造にあっては、天井と床の間の長さが上記の長孔１２ａの長さの範囲内で区々となる場合にもその具現化が可能になる。
【００３４】
そして、この吊り支柱Ｐにあっては、その全長を言わば最長にした状態で、後述する移動手段３の作動で間仕切り壁Ｗを上昇させて吊り下げることが可能になり、このとき、間仕切り壁Ｗの下端が床Ｆから離座されることで、この間仕切り壁Ｗの走行吊り車Ｄの走行による移動が可能になる。
【００３５】
一方、この下方支柱２は、図１および図２に示すように、上端側２１と下端側２２がピン結合（図中に符号２３で示す）されてなるとしており、したがって、このピン結合２３部位を中心にして、図１中に仮想線で示すように、下方支柱２の上端側２１を間仕切り壁Ｗの幅方向に揺動可能にし得ることになる。
【００３６】
それゆえ、間仕切り壁Ｗは、ピン結合２３部位を中心にして図１中で左右方向となる間仕切り壁Ｗの幅方向に揺動し得ることになり、その結果、間仕切り壁Ｗの下端が床Ｆに着座した状態では、間仕切り壁Ｗの下端が揺動することを阻止し得るのはもちろんのこと、間仕切り壁Ｗの上端が間仕切り壁Ｗの幅方向となる天井Ｒの動きに相応し得ることになる。
【００３７】
このとき、吊り支柱Ｐは、前記した長孔１２ａおよびピン２ａによる調整手段でその長さを調整し得るから、間仕切り壁Ｗの上端を天井Ｒの動き相応して移動させ得ると共に、間仕切り壁Ｗの下端を床Ｆに着座したままの状態に維持し得ることになる。
【００３８】
ところで、前述したように、間仕切り壁Ｗは、吊り支柱Ｐで吊り上げられているときに、走行吊り車Ｄの走行で移動し得るとしているが、そのため、下方支柱２の下端側２２が間仕切り壁Ｗ内の下端側において間仕切り壁Ｗに対して適宜の移動手段３の配在下に上下方向に移動可能に連繋するとしている。
【００３９】
そこで、この移動手段３について少し説明すると、この移動手段３は、外部からの、たとえば、図１中に示すように、ハンドモーターなどを利用する回動操作で駆動するネジジャッキ機構からなるとしている。
【００４０】
そして、このネジジャッキ機構は、図５に示すように、下方支柱２の下端側２２の相応部に形成された螺条２２ａと、この螺条２２ａに噛合するナット（図示せず）とを有してなるとしている。
【００４１】
そしてまた、上記のナットを有するケーシング３１からは入力軸３２が突出していて、この入力軸３２に対する回動操作でナットが回動し、螺条２２ａを有する下方支柱２における下端側２２に対して間仕切り壁Ｗが昇降することになる。
【００４２】
ちなみに、間仕切り壁Ｗの下端が床Ｆから離れた状態にあるとき、下方支柱２のピン２ａは、長孔１２ａ内の最下端にあり、この状態で入力軸３２に螺装されているナットを回動させると、間仕切り壁Ｗが下方支柱２に対して下降して床Ｆに着座する。次いで、この着座状態から更にナットを同一方向に回動すると今度は逆に下方支柱２が間仕切り壁Ｗに対して上昇し、図３に示すようにピン２ａを長孔１２ａの任意の位置に保持できる。  この為、このピン２ａは長孔１２ａの範囲で上下動できる。
【００４３】
他方、間仕切り壁Ｗの上記着座の状態から、間仕切り壁Ｗの下端を床Ｆから離座させて間仕切り壁Ｗを床Ｆの上方に上昇させるには、上記したところと逆の操作でナットを回動する。即ち、ピン２ａが長孔１２ａの任意位置に保持されている状態から上記と逆方向にナットを回動すると下方支柱２が間仕切り壁Ｗに対してピン２ａが長孔１２ａの最下端に当る位置まで下降し、この状態で更にナットを同一方向に回動させると今度は逆に間仕切り壁Ｗが下方支柱２に対して上昇し、床Ｆから離座する。
【００４４】
上記のように、間仕切り壁Ｗ自体が上昇することになると、図３、図４に示すように、この間仕切り壁Ｗの上端が走行吊り車Ｄに吊り下げられた状態で連繋することになり、この状態下に走行吊り車Ｄを走行させるとき、間仕切り壁Ｗを移動させることが可能になる。
【００４５】
即ち、図３および図４に示す実施の形態では、間仕切り壁Ｗの上端にコーン４が設けられていて、このコーン４が間仕切り壁Ｗの最上昇時に走行吊り車Ｄの下端に保持したブラケットＢに形成の孔Ｂ１に挿通されることで、間仕切り壁Ｗが走行吊り車Ｄに一体的に連繋する状態が具現化されるとしている。
【００４６】
前記したところは、特に、移動手段３がネジジャッキ機構からなるとしているが、この移動手段３が機能するところからすれば、このネジジャッキ機構からなることに代えて、図示しないが、流体圧シリンダやジャッキを利用するとしても良いことはもちろんである。
【００４７】
以上のように、請求項１の発明にあっては、間仕切り壁を天井から吊り下げる吊り支柱が全長を長短調整し得るから、間仕切り壁の下端を床に着座させあるいは離座させることが可能になり、また、間仕切り壁は、走行吊り車の介在下に天井から吊り下げられるとするから、下端が床から離座しているときに、この走行吊り車によって移動可能とされることになる。
【００４８】
そして、間仕切り壁にあっては、上方支柱の上端側が上方支柱における折れ曲り点を中心にして水平放射方向に揺動し得るから、間仕切り壁の下端が床に着座した状態のとき、間仕切り壁の上端が天井の動きに呼応せずして天井といわゆる縁切りされた状態を演出し得ることになり、間仕切り壁の下端が揺動することを阻止し得ることになる。
【００４９】
そして、このときには、吊り支柱の長さを所定のストローク範囲内で可変とするから、間仕切り壁の上端を天井の動き相応して移動させ得ると共に、間仕切り壁の下端を床に着座したままの状態に維持し得ることになる。
【００５０】
そして、請求項２の発明にあっては、間仕切り壁が下方支柱におけるピン結合部位を中心にして間仕切り壁の幅方向に揺動し得るから、間仕切り壁の下端が床に着座した状態のときに、間仕切り壁の上端が間仕切り壁の幅方向となる天井の動きに相応し得ることになる。
【００５１】
そして、このときにも、吊り支柱の全長が可変とされるから、間仕切り壁の上端を天井の動き相応して移動させ得ると共に、間仕切り壁の下端を床に着座したままの状態に維持し得ることになる。
【００５２】
また、請求項３の発明にあっては、外部からの回動操作で下方支柱が上方支柱に対して所定のストロークの範囲内で昇降し得ると共に、特に、下方支柱が上方支柱に対して所定のストロークを下降した後は下方支柱に連繋する間仕切り壁が上昇し得る。その結果、間仕切り壁が床から離座されて当該間仕切り壁が走行台吊り台車の走行により移動が可能になる。
【００５３】
さらに、請求項４の発明にあっては、吊り支柱の全長を長孔の長さの範囲内で長短調整し得るとするから、この発明による間仕切り壁構造を具現化する部位における天井と床の間が上記の長孔の長さの範囲内で区々となる場合にもその具現化が可能になる。
【００５４】
その結果、この発明によれば、屋内における床と天井との間で地震に伴う水平方向の位相にズレが招来されても下端側が揺れるなどしないようにして、可動式の間仕切り壁への利用に最適となる。
【図面の簡単な説明】
【図１】この発明による間仕切り壁構造を具現化する間仕切り壁を外装材が撤去された状態で示す立面図である。
【図２】同じく側面図である。
【図３】天井から吊り下げられた間仕切り壁の上端部を部分的に拡大して示す立面図である。
【図４】同じく側面図である。
【図５】間仕切り壁の下端側を部分的に拡大して示す側面図である。
【符号の説明】
１  上方支柱
２  下方支柱
２ａ  ピン
３  移動手段
４  コーン
１１，２１  上端側
１２，２２  下端側
１３  連結手段
２１ａ，Ｂ１  孔
２３  ピン結合
３１  ケーシング
３２  入力軸
Ｂ  ブラケット
Ｄ  走行吊り車
Ｆ  床
Ｐ  吊り支柱
Ｒ  天井
Ｗ  間仕切り壁
Ｗ１  フレーム
Ｗ２  板
【図１】
0003943392.tif 000002
【図２】
0003943392.tif 000003
【図３】
0003943392.tif 000004
【図４】
0003943392.tif 000005
【図５】
0003943392.tif 000006